(57)【特許請求の範囲】
【請求項１】
状態が通常状態と点検状態とに切り替わる点検用スイッチを備えた監視対象装置を監視する監視装置と、
前記監視装置との間で通信が可能である端末装置とを備えた監視システムであって、
前記点検用スイッチの状態が前記点検状態である場合であって、前記監視装置と前記端末装置との間の通信が不能となった場合に、前記監視装置から通報開始情報が入力されて、通報を行う通報装置と、
前記通報装置の前記通報を受ける受信装置とを備え、
前記通報開始情報には、前記端末装置を操作する作業者を特定する作業者情報が含まれ、
前記通報装置は、前記作業者情報と前記受信装置を特定する受信装置情報とが対応する変換テーブルを有し、前記作業者情報に対応する前記受信装置情報により特定される前記受信装置に対して前記通報を行うことを特徴とする監視システム。
【請求項２】
前記監視装置は、前記端末装置から前記作業者情報が入力されることを特徴とする請求項１に記載の監視システム。
【請求項３】
状態が通常状態と点検状態とに切り替わる点検用スイッチを備えた監視対象装置を監視する監視装置と、
前記監視装置との間で通信が可能である端末装置とを備えた監視システムであって、
前記点検用スイッチの状態が前記点検状態である場合であって、前記監視装置と前記端末装置との間の通信が不能となった場合に、前記監視装置から通報開始情報が入力されて、通報を行う通報装置と、
前記通報装置の前記通報を受ける受信装置とを備え、
前記通報開始情報には、作業者が操作する前記端末装置を特定する端末装置情報が含まれ、
前記通報装置は、前記端末装置情報と前記受信装置を特定する受信装置情報とが対応する変換テーブルを有し、前記端末装置情報に対応する前記受信装置情報により特定される前記受信装置に対して前記通報を行うことを特徴とする監視システム。
【請求項４】
前記監視装置は、前記端末装置から前記端末装置情報が入力されることを特徴とする請求項３に記載の監視システム。
【請求項５】
状態が通常状態と点検状態とに切り替わる点検用スイッチを備えた監視対象装置を監視する監視装置と、前記監視装置との間で通信が可能である端末装置と、前記監視装置から通報開始情報が入力される通報装置と、前記通報装置の通報を受ける受信装置とを備え、前記通報開始情報には、前記端末装置を操作する作業者を特定する作業者特定情報が含まれ、前記通報装置は、前記作業者情報と前記受信装置を特定する受信装置情報とが対応する変換テーブルを有し、前記作業者情報に対応する前記受信装置情報により特定される前記受信装置に対して前記通報を行う監視システムを用いた警告方法であって、
前記点検用スイッチの状態が前記点検状態である場合であって、前記監視装置と前記端末装置との間の通信が不能となった場合に、前記監視装置から前記通報装置に前記通報開始情報が入力されて、前記通報装置が前記通報を行う通報工程と、
前記通報装置の前記通報を前記受信装置が受ける受信工程とを備えたことを特徴とする警告方法。
【請求項６】
状態が通常状態と点検状態とに切り替わる点検用スイッチを備えた監視対象装置を監視する監視装置と、前記監視装置との間で通信が可能である端末装置と、前記監視装置から通報開始情報が入力される通報装置と、前記通報装置の通報を受ける受信装置とを備え、前記通報開始情報には、作業者が操作する前記端末装置を特定する端末装置情報が含まれ、
前記通報装置は、前記端末装置情報と前記受信装置を特定する受信装置情報とが対応する変換テーブルを有し、前記端末装置情報に対応する前記受信装置情報により特定される前記受信装置に対して前記通報を行う監視システムを用いた警告方法であって、
前記点検用スイッチの状態が前記点検状態である場合であって、前記監視装置と前記端末装置との間の通信が不能となった場合に、前記監視装置から前記通報装置に前記通報開始情報が入力されて、前記通報装置が前記通報を行う通報工程と、
前記通報装置の前記通報を前記受信装置が受ける受信工程とを備えたことを特徴とする警告方法。
【発明の詳細な説明】
【技術分野】
【０００１】
この発明は、点検作業終了後に点検用スイッチの状態が点検状態となっていることを作業者に知らせるための監視システムおよびこの監視システムを用いた警告方法に関する。
【背景技術】
【０００２】
従来、エスカレータ本体の異常を検出する異常検出装置と、機械室の蓋が回動することによる機械室の出入口の開閉を検出する開閉検出装置と、機械室内に設けられ、操作されることにより状態が通常状態と点検状態とに入れ替わり、状態が点検状態の場合に異常検出装置の検出信号を無効にし、状態が通常状態の場合に異常検出装置の検出信号を有効にする点検用スイッチとを備えたエスカレータが知られている。このエスカレータには、点検用スイッチの状態が点検状態である場合であって、機械室の出入口が閉じられていることを開閉検出装置が検出した場合に点灯する警告用照明灯を備えた警告装置が設けられている。作業者は、機械室の出入口を開けて、点検用スイッチの状態を点検状態にした後に、エスカレータ本体の点検を行う。点検作業終了後に、作業者が点検用スイッチの状態を点検状態から通常状態に切り替えずに、機械室の出入口が閉じられた場合には、警告用照明灯が点灯する。これにより、点検用スイッチの状態が点検状態となっていることを作業者に知らせることができ、点検作業終了後に点検用スイッチの状態が点検状態のままとなってしまうことが抑制される（例えば、特許文献１参照）。
【先行技術文献】
【特許文献】
【０００３】
【特許文献１】特開２０１０−２４０４０号公報
【発明の概要】
【発明が解決しようとする課題】
【０００４】
しかしながら、作業者が警告用照明灯の点灯を見落とした場合には、点検用スイッチの状態が点検状態となっていることを作業者に知らせることができず、点検作業が終了しているにもかかわらず、点検用スイッチの状態が点検状態のままとなってしまうという問題点があった。
【０００５】
この発明は、点検作業終了後に点検用スイッチの状態が点検状態となっていることを作業者に確実に知らせることができる監視システムおよびこの監視システムを用いた警告方法を提供するものである。
【課題を解決するための手段】
【０００６】
この発明に係る監視システムは、状態が通常状態と点検状態とに切り替わる点検用スイッチを備えた監視対象装置を監視する監視装置と、前記監視装置との間で通信が可能である端末装置とを備えた監視システムであって、前記点検用スイッチの状態が前記点検状態である場合であって、前記監視装置と前記端末装置との間の通信が不能となった場合に、前記監視装置から通報開始情報が入力されて、通報を行う通報装置と、前記通報装置の前記通報を受ける受信装置とを備え、前記通報開始情報には、前記端末装置を操作する作業者を特定する作業者情報が含まれ、前記通報装置は、前記作業者情報と前記受信装置を特定する受信装置情報とが対応する変換テーブルを有し、前記作業者情報に対応する前記受信装置情報により特定される前記受信装置に対して前記通報を行う。
【０００７】
この発明に係る警告方法は、状態が通常状態と点検状態とに切り替わる点検用スイッチを備えた監視対象装置を監視する監視装置と、前記監視装置との間で通信が可能である端末装置と、前記監視装置から通報開始情報が入力される通報装置と、前記通報装置の通報を受ける受信装置とを備え、前記通報開始情報には、前記端末装置を操作する作業者を特定する作業者特定情報が含まれ、前記通報装置は、前記作業者情報と前記受信装置を特定する受信装置情報とが対応する変換テーブルを有し、前記作業者情報に対応する前記受信装置情報により特定される前記受信装置に対して前記通報を行う監視システムを用いた警告方法であって、前記点検用スイッチの状態が前記点検状態である場合であって、前記監視装置と前記端末装置との間の通信が不能となった場合に、前記監視装置から前記通報装置に前記通報開始情報が入力されて、前記通報装置が前記通報を行う通報工程と、前記通報装置の前記通報を前記受信装置が受ける受信工程とを備えている。
【発明の効果】
【０００８】
この発明に係る監視システムによれば、状態が通常状態と点検状態とに切り替わる点検用スイッチを備えた監視対象装置を監視する監視装置と、監視装置との間で通信が可能である端末装置とを備えた監視システムであって、点検用スイッチの状態が点検状態である場合であって、監視装置と端末装置との間の通信が不能となった場合に、監視装置から通報開始情報が入力されて、通報を行う通報装置と、通報装置の通報を受ける受信装置とを備えているので、点検作業が終了し、点検用スイッチの状態が点検状態のまま、作業者が監視装置と端末装置との間の通信が不能となるように端末装置を操作したり端末装置を持ち出したりした場合に、通報装置が通報を行い、受信装置が通報装置の通報を受ける。これにより、例えば、作業者が受信装置を所持している場合には、点検作業終了後に点検用スイッチの状態が点検状態となっていることを作業者に確実に知らせることができる。
【０００９】
この発明に係る警告方法によれば、状態が通常状態と点検状態とに切り替わる点検用スイッチを備えた監視対象装置を監視する監視装置と、監視装置との間で通信が可能である端末装置と、監視装置から通報開始情報が入力される通報装置と、通報装置の通報を受ける受信装置とを備えた監視システムを用いた警告方法であって、点検用スイッチの状態が点検状態である場合であって、監視装置と端末装置との間の通信が不能となった場合に、監視装置から通報装置に通報開始情報が入力されて、通報装置が通報を行う通報工程と、通報装置の通報を受信装置が受ける受信工程とを備えているので、点検作業が終了し、点検用スイッチの状態が点検状態のまま、作業者が監視装置と端末装置との間の通信が不能となるように端末装置を操作したり端末装置を持ち出したりした場合に、通報装置が通報を行い、受信装置が通報装置の通報を受ける。これにより、例えば、作業者が受信装置を所持している場合には、点検作業終了後に点検用スイッチの状態が点検状態となっていることを作業者に確実に知らせることができる。
【図面の簡単な説明】
【００１０】
【図１】この発明の実施の形態１に係るエレベータシステムを示すブロック図である。
【図２】図１のスイッチ状態通知部の動作を示すフローチャートである。
【図３】図１の通報メール送信部の動作を示すフローチャートである。
【図４】この発明の実施の形態２に係るエレベータシステムを示すブロック図である。
【図５】図４のスイッチ状態通知部の動作を示すフローチャートである。
【発明を実施するための形態】
【００１１】
以下、この発明の各実施の形態を図に基づいて説明するが、各図において、同一または相当の部材、部位については、同一符号を付して説明する。
【００１２】
実施の形態１．
図１はこの発明の実施の形態１に係るエレベータシステムを示すブロック図である。図において、エレベータシステムは、エレベータ装置（監視対象装置）１と、エレベータ装置１の監視およびエレベータ装置１の点検を行うためのエレベータ監視システム（監視システム）２とを備えている。エレベータ監視システム２は、エレベータ装置１の動作を監視するエレベータ監視装置（監視装置）３と、エレベータ監視装置３に接続された無線ＬＡＮアクセスポイント４と、エレベータ装置１を点検する際に用いられる端末装置５と、通報メールの送信により通報を行う通報サーバ（通報装置）６と、エレベータ監視装置３と通報サーバ６との間に設けられた公衆回線７と、通報メールの受信により通報サーバ６の通報を受ける携帯電話装置（受信装置）８と、通報サーバ６と携帯電話装置８との間に設けられた携帯電話回線９とを備えている。端末装置５は、無線ＬＡＮアクセスポイント４を介してエレベータ監視装置３との間の無線ＬＡＮ通信による通信が可能となっている。端末装置５および携帯電話装置８は、エレベータ装置１の点検作業を行う作業者により所持される。
【００１３】
エレベータ装置１は、かご（図示せず）の昇降等を制御するエレベータ制御部１１と、操作されることにより状態が通常状態と点検状態とに切り替わる点検用スイッチ１２と、エレベータ制御部１１に接続されたネットワーク通信部１３と、ネットワーク通信部１３に接続されたシリアル通信部１４とを有している。エレベータ制御部１１には、点検用スイッチ１２の状態の情報等のエレベータ装置１の状態の情報が入力されるようになっている。また、エレベータ制御部１１には、エレベータ装置１を特定する情報である号機番号の情報やエレベータ装置１が設置されているビルの名前の情報が記憶されている。
【００１４】
図１では、エレベータ制御部１１に接続された点検用スイッチ１２の数が１個であるエレベータ装置１を示しているが、この例では、４個の点検用スイッチ１２をエレベータ装置１が備え、それぞれの点検用スイッチ１２がエレベータ制御部１１に接続されている。４個の点検用スイッチ１２は、点検作業中である旨を表示装置（図示せず）に表示させるためのメンテナンススイッチ、かごの天井に設けられた照明装置（図示せず）を点滅点灯させるための点検スイッチ、停電時自動着床装置（図示せず）の駆動を停止させるための駆動停止スイッチ、エレベータ制御部１１を収容する制御盤（図示せず）の扉の回動による操作口の開閉を検出する制御盤扉開閉スイッチから構成されている。メンテナンススイッチおよび点検スイッチの状態は、通常状態の場合に、オフ状態となり、点検状態の場合に、オン状態となる。駆動停止スイッチおよび制御盤扉開閉スイッチの状態は、通常状態の場合に、オン状態となり、点検状態の場合に、オフ状態となる。点検用スイッチ１２は、エレベータ装置１が通常運転を行う場合に、状態が通常状態となるように作業者により操作され、エレベータ装置１の点検を行う場合に、状態が点検状態となるように作業者により操作される。
【００１５】
エレベータ監視装置３は、点検用スイッチ１２の状態の情報等のエレベータ装置１の状態の情報をエレベータ制御部１１から読み出すエレベータ監視部３１と、エレベータ監視部３１が読み出したエレベータ装置１の情報の中から点検用スイッチ１２の状態の情報とエレベータ装置１の号機番号の情報とを読み出すスイッチ状態通知部３２と、エレベータ監視部３１およびスイッチ状態通知部３２のそれぞれに接続されたネットワーク通信部３３と、ネットワーク通信部３３とエレベータ装置１のシリアル通信部１４とに接続されたシリアル通信部３４と、ネットワーク通信部３３と無線ＬＡＮアクセスポイント４とに接続されたＬＡＮ通信部３５とを有している。エレベータ制御部１１およびエレベータ監視部３１は、ネットワーク通信部１３、シリアル通信部１４、シリアル通信部３４およびネットワーク通信部３３を介して、互いに通信可能となっている。
【００１６】
スイッチ状態通知部３２は、点検用スイッチ１２の状態が通常状態である場合の点検用スイッチ１２の状態の情報が予め記憶される記憶領域（図示せず）と、エレベータ監視部３１から読み出した点検用スイッチ１２の状態の情報が記憶される記憶領域（図示せず）とを有している。スイッチ状態通知部３２は、予め記憶されている点検用スイッチ１２の状態の情報と、エレベータ監視部３１から読み出した点検用スイッチ１２の状態の情報とを比較して、点検用スイッチ１２の状態が通常状態であるか点検状態であるかを判定する。
【００１７】
端末装置５は、無線ＬＡＮアクセスポイント４が発する電波を受ける無線ＬＡＮ通信部５１と、無線ＬＡＮ通信部５１に接続されたネットワーク通信部５２と、エレベータ装置１の故障履歴やエレベータ装置１の状態等の点検に必要なエレベータ装置１の情報がエレベータ監視部３１から入力される保守ツール部５３とを有している。保守ツール部５３には、端末装置５を操作する作業者を特定するＩＤ（Ｉｄｅｎｔｉｆｉｃａｔｉｏｎ）（作業者情報）が、作業者による端末装置５の操作により入力されるようになっている。
【００１８】
ネットワーク通信部３３およびネットワーク通信部５２は、無線ＬＡＮ通信部５１が無線ＬＡＮアクセスポイント４の電波を受信可能な領域に位置する場合であって、端末装置５が起動している場合に、ＬＡＮ通信部３５、無線ＬＡＮアクセスポイント４および無線ＬＡＮ通信部５１を介して、互いに通信可能となる。ネットワーク通信部３３とネットワーク通信部５２との間の通信が可能である場合に、エレベータ監視部３１と保守ツール部５３との間の接続が可能となる。スイッチ状態通知部３２は、ネットワーク通信部３３とネットワーク通信部５２との間の通信が可能であるか否かについて判定する。また、スイッチ状態通知部３２は、エレベータ監視部３１と保守ツール部５３との間が接続されているか否かについても判定する。
【００１９】
エレベータ監視装置３および端末装置５は、ネットワーク通信部３３およびネットワーク通信部５２が互いに通信可能である場合に、互いに通信可能となる。したがって、無線ＬＡＮ通信部５１が無線ＬＡＮアクセスポイント４の電波を受信可能な領域に位置しない場合、または、端末装置５が起動していない場合に、エレベータ監視装置３と端末装置５との間の通信が不能となる。
【００２０】
通報サーバ６は、公衆回線７および携帯電話回線９に接続された通報メール送信部６１と、端末装置５を操作する作業者を特定するＩＤと作業者が所持する携帯電話装置８を特定するメールアドレス（受信装置情報）とが対応するメールアドレス変換テーブル（変換テーブル）６２とを有している。通報メール送信部６１には、端末装置５を操作する作業者のＩＤおよびエレベータ装置１の号機番号の情報を含んだ通報開始情報が公衆回線７を介してスイッチ状態通知部３２から入力されるようになっている。
【００２１】
携帯電話装置８は、携帯電話回線９を介して通報サーバ６の通報メールを受信する通報メール受信部８１を有している。通報メール受信部８１は、通報サーバ６の通報メールを受信することにより、図示しない表示部に、通報メール文を表示させる。通報メール文の具体例としては、例えば、１号機のエレベータ装置１の点検用スイッチ１２の状態が点検状態のままであることを通報する場合に、「１号機のスイッチが点検状態のままです。通常状態に戻してください。」とする通報メール文が挙げられる。なお、通報メール文には、エレベータ装置１が取り付けられているビルの名称や、エレベータ装置１の管理番号等が含まれてもよい。
【００２２】
次に、スイッチ状態通知部３２の動作について説明する。図２は図１のスイッチ状態通知部３２の動作を示すフローチャートである。エレベータ監視部３１は、エレベータ制御部１１から点検用スイッチ１２の状態の情報とエレベータ装置１の号機番号の情報とを定期的に読み出しており（点検用スイッチ状態情報入力工程）、エレベータ監視部３１には、点検用スイッチ１２の状態の情報とエレベータ装置１の号機番号の情報とが記憶されている。まず、スイッチ状態通知部３２は、エレベータ監視部３１と保守ツール部５３とが接続されているか否かを判定する（ステップＳ１０１）。ステップＳ１０１で、エレベータ監視部３１と保守ツール部５３とが接続されていないとスイッチ状態通知部３２が判定すると、ステップＳ１０１が繰り返される。
【００２３】
一方、ステップＳ１０１で、エレベータ監視部３１と保守ツール部５３とが接続されているとスイッチ状態通知部３２が判定すると、スイッチ状態通知部３２は、エレベータ監視部３１を介して、保守ツール部５３から端末装置５を操作する作業者のＩＤを受信する（ステップＳ１０２）。その後、スイッチ状態通知部３２は、エレベータ監視部３１からエレベータ装置１の号機番号の情報を読み出す（ステップＳ１０３）。
【００２４】
その後、スイッチ状態通知部３２は、ネットワーク通信部３３とネットワーク通信部５２との間の通信が可能であるか否かを判定する（ステップＳ１０４）。ステップＳ１０４で、ネットワーク通信部３３とネットワーク通信部５２との間の通信が可能であるとスイッチ状態通知部３２が判定すると、ステップＳ１０４が繰り返される。
【００２５】
一方、ステップＳ１０４で、ネットワーク通信部３３とネットワーク通信部５２との間の通信が不能であるとスイッチ状態通知部３２が判定すると、スイッチ状態通知部３２は、エレベータ監視部３１から点検用スイッチ１２の状態の情報を読み出す（ステップＳ１０５）。
【００２６】
その後、スイッチ状態通知部３２は、読み出した点検用スイッチ１２の状態の情報に基づいて、何れかの点検用スイッチ１２の状態が点検状態であるか否かを判定する（ステップＳ１０６）。ステップＳ１０６で、何れの点検用スイッチ１２の状態も点検状態ではないとスイッチ状態通知部３２が判定すると、ステップＳ１０１に戻る。
【００２７】
一方、ステップＳ１０６で、何れかの点検用スイッチ１２の状態が点検状態であるとスイッチ状態通知部３２が判定すると、スイッチ状態通知部３２は、通報メール送信部６１に対して、端末装置５を操作する作業者のＩＤおよびエレベータ装置１の号機番号の情報を含んだ通報開始情報を送信する（ステップＳ１０７）。その後、ステップＳ１０１に戻る。
【００２８】
次に、通報メール送信部６１の動作について説明する。図３は図１の通報メール送信部６１の動作を示すフローチャートである。まず、通報メール送信部６１は、スイッチ状態通知部３２から端末装置５を操作する作業者のＩＤおよびエレベータ装置１の号機番号の情報を含んだ通報開始情報を受信したか否かを判定する（ステップＳ２０１）。ステップＳ２０１で、スイッチ状態通知部３２からの通報開始情報を通報メール送信部６１が受信していないと通報メール送信部６１が判定すると、ステップＳ２０１が繰り返される。
【００２９】
一方、ステップＳ２０１で、スイッチ状態通知部３２からの通報開始情報を通報メール送信部６１が受信したと通報メール送信部６１が判定すると、通報メール送信部６１は、通報開始情報に含まれる作業者のＩＤに対応したメールアドレスをメールアドレス変換テーブル６２から読み出す（ステップＳ２０２）。その後、通報メール送信部６１は、通報開始情報に基づいて通報メール文を作成し（ステップＳ２０３）、読み出したメールアドレスにより特定される携帯電話装置８に対して通報メールを送信する（通報工程）（ステップＳ２０４）。その後、ステップＳ２０１に戻る。
【００３０】
携帯電話装置８は、通報メール送信部６１が通報メールを送信した後に、通報メールを受信することにより通報メール送信部６１の通報を受ける（受信工程）。
【００３１】
以上説明したように、この発明の実施の形態１に係るエレベータ監視システム２によれば、状態が通常状態と点検状態とに切り替わる点検用スイッチ１２を備えたエレベータ装置１を監視するエレベータ監視装置３と、エレベータ監視装置３との間で通信が可能である端末装置５とを備えたエレベータ監視システム２であって、点検用スイッチ１２の状態が点検状態である場合であって、エレベータ監視装置３と端末装置５との間の通信が不能となった場合に、エレベータ監視装置３から通報開始情報が入力されて、通報を行う通報サーバ６と、通報サーバ６の通報を受ける携帯電話装置８とを備えているので、点検作業が終了し、点検用スイッチ１２の状態が点検状態のまま、作業者がエレベータ監視装置３と端末装置５との間の通信が不能となるように端末装置５を操作したり端末装置５を持ち出したりした場合に、通報サーバ６が通報を行い、携帯電話装置８が通報サーバ６の通報を受ける。これにより、例えば、作業者が携帯電話装置８を所持している場合には、点検作業終了後に点検用スイッチ１２の状態が点検状態となっていることを作業者に確実に知らせることができる。
【００３２】
また、エレベータ監視装置３から通報サーバ６に入力される通報開始情報には、端末装置５を操作する作業者を特定するＩＤが含まれ、通報サーバ６は、ＩＤと携帯電話装置８を特定するメールアドレスとが対応するメールアドレス変換テーブル６２を有し、ＩＤに対応するメールアドレスにより特定される携帯電話装置８に対して通報を行うので、通報サーバ６は、複数の携帯電話装置８の中から、端末装置５を操作する作業者が所持する携帯電話装置８を特定して、特定された携帯電話装置８に対して通報を行うことができる。
【００３３】
また、エレベータ監視装置３は、端末装置５から端末装置５を操作する作業者を特定するＩＤが入力されるので、作業者がエレベータ監視装置３に対してＩＤを入力する必要がなく、エレベータ装置１の点検作業の容易化を図ることができる。
【００３４】
また、この発明の実施の形態１に係る警告方法によれば、点検用スイッチ１２の状態が点検状態である場合であって、エレベータ監視装置３と端末装置５との間の通信が不能となった場合に、エレベータ監視装置３から通報サーバ６に通報開始情報が入力されて、通報サーバ６が通報を行う通報工程と、通報サーバ６の通報を携帯電話装置８が受ける受信工程とを備えているので、点検作業が終了し、点検用スイッチ１２の状態が点検状態のまま、作業者がエレベータ監視装置３と端末装置５との間の通信が不能となるように端末装置５を操作したり端末装置５を持ち出したりした場合に、通報サーバ６が通報を行い、携帯電話装置８が通報サーバ６の通報を受ける。これにより、例えば、作業者が携帯電話装置８を所持している場合には、点検作業終了後に点検用スイッチ１２の状態が点検状態となっていることを作業者に確実に知らせることができる。
【００３５】
実施の形態２．
図４はこの発明の実施の形態２に係るエレベータシステムを示すブロック図である。端末装置５は、インテル  アクティブ  マネジメント  テクノロジ（インテルＡＭＴ）に対応したパソコン（パーソナル  コンピュータ）から構成されている。端末装置５は、操作されることにより、ＯＳ（オペレーティングシステム）が稼働している状態である活動状態と、ＯＳが非稼働の状態である休止状態とに状態が切り替わるようになっている。端末装置５は、端末装置５の状態が活動状態のときにのみ動作する活動状態動作部５１０と、端末装置５が活動状態であるか休止状態であるかに関係なく動作する定常動作部５２０とを有している。
【００３６】
活動状態動作部５１０は、ＯＳが稼働するＯＳ部５１１と、ＯＳ部５１１の稼働により動作可能となるネットワーク通信部５１２と、ネットワーク通信部５１２に接続され、ＯＳ部５１１の稼働により動作可能となる保守ツール部５１３とを有している。
【００３７】
定常動作部５２０は、無線ＬＡＮアクセスポイント４が発する電波を受ける無線ＬＡＮ通信部５２１と、無線ＬＡＮ通信部５２１に接続された管理エンジン部５２２と、端末装置５の状態が活動状態であるか休止状態であるかに関係なく、管理エンジン部５２２および無線ＬＡＮ通信部５２１に電力を供給する電源管理部５２３とを有している。無線ＬＡＮ通信部５２１、管理エンジン部５２２および電源管理部５２３は、端末装置５の状態が活動状態であるか休止状態であるかに関係なく、動作可能となっている。また、電源管理部５２３は、端末装置５の状態が活動状態である場合にのみ、ＯＳ部５１１、ネットワーク通信部５１２および保守ツール部５１３に電力を供給する。ＯＳ部５１１、ネットワーク通信部５１２および保守ツール部５１３は、端末装置５の状態が活動状態である場合にのみ、動作可能となっている。
【００３８】
ネットワーク通信部３３およびネットワーク通信部５１２は、無線ＬＡＮ通信部５２１が無線ＬＡＮアクセスポイント４の電波を受信可能な領域に位置する場合であって、端末装置５の状態が活動状態である場合にのみ、互いに通信可能となる。ネットワーク通信部３３とネットワーク通信部５１２との間の通信が可能である場合に、エレベータ監視部３１と保守ツール部５１３との間の接続が可能となる。
【００３９】
スイッチ状態通知部３２および無線ＬＡＮ通信部５２１は、無線ＬＡＮ通信部５２１が無線ＬＡＮアクセスポイント４の電波を受信可能な領域に位置する場合であれば、端末装置５の状態が活動状態であるか休止状態であるかに関係なく、互いに通信可能となる。
【００４０】
エレベータ監視装置３および端末装置５は、スイッチ状態通知部３２および無線ＬＡＮ通信部５２１が互いに通信可能である場合に、互いに通信可能となる。したがって、無線ＬＡＮ通信部５２１が無線ＬＡＮアクセスポイント４の電波を受信可能な領域に位置しない場合に、エレベータ監視装置３と端末装置５との間の通信が不能となる。
【００４１】
無線ＬＡＮ通信部５２１には、端末装置５を特定するＭＡＣアドレス（Ｍｅｄｉａ  Ａｃｃｅｓｓ  Ｃｏｎｔｒｏｌ  Ａｄｄｒｅｓｓ）が記憶されている。
【００４２】
メールアドレス変換テーブル６２では、端末装置５を特定するＭＡＣアドレスと、端末装置５を操作する作業者が所持する携帯電話装置８を特定するメールアドレスとが対応している。なお、メールアドレス変換テーブル６２では、実施の形態１に記載のように、作業者を特定するＩＤとメールアドレスとをさらに対応させてもよい。通報メール送信部６１には、端末装置５を特定するＭＡＣアドレスおよびエレベータ装置１の号機番号の情報を含んだ通報開始情報が公衆回線７を介してスイッチ状態通知部３２から入力されるようになっている。通報メール送信部６１は、スイッチ状態通知部３２から通報開始情報が入力されると、通報開始情報に含まれるＭＡＣアドレスに対応したメールアドレスをメールアドレス変換テーブル６２から読み出して、読み出したメールアドレスにより特定される携帯電話装置８に対して通報メールを送信するようになっている。その他の構成は、実施の形態１と同様である。
【００４３】
次に、スイッチ状態通知部３２の動作について説明する。図５は図４のスイッチ状態通知部３２の動作を示すフローチャートである。まず、スイッチ状態通知部３２は、スイッチ状態通知部３２と無線ＬＡＮ通信部５２１との間の通信が可能であるか否かを判定する（ステップＳ３０１）。ステップＳ３０１で、スイッチ状態通知部３２と無線ＬＡＮ通信部５２１との間の通信が不能であるとスイッチ状態通知部３２が判定すると、ステップＳ３０１が繰り返される。
【００４４】
一方、ステップＳ３０１で、スイッチ状態通知部３２と無線ＬＡＮ通信部５２１との間の通信が可能であるとスイッチ状態通知部３２が判定すると、スイッチ状態通知部３２は、無線ＬＡＮ通信部５２１からＭＡＣアドレスを受信する（ステップＳ３０２）。その後、スイッチ状態通知部３２は、エレベータ監視部３１からエレベータ装置１の号機番号を読み出す（ステップＳ３０３）。
【００４５】
その後、スイッチ状態通知部３２は、スイッチ状態通知部３２と無線ＬＡＮ通信部５２１との間の通信が可能であるか否かを再び判定する（ステップＳ３０４）。ステップＳ３０４で、スイッチ状態通知部３２と無線ＬＡＮ通信部５２１との間の通信が可能であるとスイッチ状態通知部３２が判定すると、ステップＳ３０４が繰り返される。
【００４６】
一方、ステップＳ３０４で、スイッチ状態通知部３２と無線ＬＡＮ通信部５２１との間の通信が不能であるとスイッチ状態通知部３２が判定すると、スイッチ状態通知部３２は、エレベータ監視部３１から点検用スイッチ１２の状態の情報を読み出す（ステップＳ３０５）。その後、スイッチ状態通知部３２は、何れかの点検用スイッチ１２の状態が点検状態であるか否かを判定する（ステップＳ３０６）。
【００４７】
ステップＳ３０６で、何れの点検用スイッチ１２も状態が点検状態ではないとスイッチ状態通知部３２が判定すると、ステップＳ３０１に戻る。一方、ステップＳ３０６で、何れかの点検用スイッチの状態が点検状態であるとスイッチ状態通知部３２が判定すると、スイッチ状態通知部３２は、通報メール送信部６１に対して、端末装置５を特定するＭＡＣアドレスおよびエレベータ装置１の号機番号の情報を含んだ通報開始情報を送信する（ステップＳ３０７）。その後、ステップＳ３０１に戻る。
【００４８】
以上説明したように、この発明の実施の形態２に係るエレベータ監視システム２によれば、エレベータ監視装置３から通報サーバ６に入力される通報開始情報には、端末装置５を特定するＭＡＣアドレスが含まれ、通報サーバ６は、ＭＡＣアドレスと携帯電話装置８を特定するメールアドレスとが対応するメールアドレス変換テーブル６２を有し、ＭＡＣアドレスに対応するメールアドレスにより特定される携帯電話装置８に対して通報を行うので、通報サーバ６は、複数の携帯電話装置８の中から、端末装置５を操作する作業者が所持する携帯電話装置８を特定して、特定された携帯電話装置８に対して通報を行うことができる。
【００４９】
また、エレベータ監視装置３は、端末装置５から端末装置５を特定するＭＡＣアドレスが入力されるので、作業者がエレベータ監視装置３に対してＭＡＣアドレスを入力する必要がなく、エレベータ装置１の点検作業の容易化を図ることができる。
【００５０】
また、端末装置５の状態が活動状態であるか休止状態であるかに関係なく、ＭＡＣアドレスが端末装置５からエレベータ監視装置３に入力されるので、作業者が端末装置５を起動させずにエレベータ装置１の点検作業を行う場合であっても、点検作業終了後に点検用スイッチ１２の状態が点検状態となっていることを作業者に確実に知らせることができる。
【００５１】
なお、各上記実施の形態では、監視対象装置として、エレベータ装置１を例に説明したが、これに限らず、例えば、エスカレータや動く歩道等の乗客コンベヤであってもよい。
【００５２】
また、各上記実施の形態では、点検用スイッチ１２として、点検作業中である旨をエレベータの表示装置（図示せず）に表示させるためのメンテナンススイッチ、かごの天井に設けられた照明装置（図示せず）を点滅点灯させるための点検スイッチ、停電時自動着床装置（図示せず）の駆動を停止させるための駆動停止スイッチ、エレベータ制御部１１を収容する制御盤（図示せず）の扉の回動による操作口の開閉を検出する制御盤扉開閉スイッチを例に挙げて説明したが、これらの点検用スイッチ１２に限らず、その他の点検用スイッチ１２であってもよい。
【００５３】
また、各上記実施の形態では、メンテナンススイッチ、点検スイッチ、駆動停止スイッチおよび制御盤扉開閉スイッチから構成される４個の点検用スイッチ１２を備えたエレベータ装置１の構成について説明したが、メンテナンススイッチ、点検スイッチ、駆動停止スイッチおよび制御盤扉開閉スイッチのうちの何れか１個ないし３個から構成される点検用スイッチ１２を備えたエレベータ装置１であってもよい。
【００５４】
また、各上記実施の形態では、エレベータ監視装置３と端末装置５との間の通信が無線通信により行われる構成について説明したが、エレベータ監視装置３と端末装置５との間の通信が有線通信により行われる構成であってもよい。
【００５５】
また、各上記実施の形態では、エレベータ監視装置３と通報サーバ６との間に設けられた公衆回線７を備えたエレベータ監視システム２について説明したが、公衆回線７に限らず、その他の通信手段がエレベータ監視装置３と通報サーバ６との間に設けられるエレベータ監視システム２であってもよい。
【００５６】
また、各上記実施の形態では、通報サーバ６と携帯電話装置８との間に設けられた携帯電話回線９を備えたエレベータ監視装置３について説明したが、携帯電話回線９に限らず、その他の通信手段が通報装置と受信装置との間に設けられるエレベータ監視システム２であってもよい。この場合、受信装置としては、携帯電話装置８に限らず、通報を受けることができる装置であればよい。
【００５７】
また、各上記実施の形態では、通報サーバ６からの通報メールの受信により通報サーバ６から携帯電話装置８が通報を受ける構成について説明したが、例えば、通報サーバ６からの自動音声等による通報電話の受信により通報サーバ６からの通報を携帯電話装置８が受ける構成であってもよい。
【００５８】
また、各上記実施の形態では、端末装置５および携帯電話装置８のそれぞれが別部材となっている構成について説明したが、端末装置５と携帯電話装置８とを一体に組み合わせた構成であってもよい。
【符号の説明】
【００５９】
１  エレベータ装置（監視対象装置）、２  エレベータ監視システム（監視システム）、３  エレベータ監視装置（監視装置）、４  無線ＬＡＮアクセスポイント、５  端末装置、６  通報サーバ（通報装置）、７  公衆回線、８  携帯電話装置（受信装置）、９  携帯電話回線、１１  エレベータ制御部、１２  点検用スイッチ、１３  ネットワーク通信部、１４  シリアル通信部、３１  エレベータ監視部、３２  スイッチ状態通知部、３３  ネットワーク通信部、３４  シリアル通信部、３５  ＬＡＮ通信部、５１  無線ＬＡＮ通信部、５２  ネットワーク通信部、５３  保守ツール部、６１  通報メール送信部、６２  メールアドレス変換テーブル（変換テーブル）、８１  通報メール受信部、５１０  活動状態動作部、５１１  ＯＳ部、５１２  ネットワーク通信部、５１３  保守ツール部、５２０  通常動作部、５２１  無線ＬＡＮ通信部、５２２  管理エンジン部、５２３  電源管理部。
【図１】
0005654905.tif 000002
【図２】
0005654905.tif 000003
【図３】
0005654905.tif 000004
【図４】
0005654905.tif 000005
【図５】
0005654905.tif 000006